(57)【要約】【課題】セルフクリーニング機能を有する外壁防汚システムを安価に得る。【解決手段】玄関２６が三面の壁部２０、２２、２４で囲まれた入込部１６の天井部２８に設けられた流水板３０の前面側には、流入口３２が設けられており、建物１０の外壁面１５Ａを伝って流れる雨水が、当該流入口３２を通じて流水板３０内へ流入可能とされている。一方、流水板３０の入込部１６内の周縁部には、壁部２０、２２、２４に対応して、流出口３４、３６、３８がそれぞれ設けられており、流入口３２を通じて流水板３０内を流れる雨水は、流出口３４、３６、３８から流出し、壁部２０、２２、２４の表面を伝ってそれぞれ流れ落ちるようにしている。これにより、壁部２０、２２、２４をクリーニングすることができる。【選択図】図１
2011247030.tif 000002
【特許請求の範囲】
【請求項１】
外壁から建物奥側へ入り込む入込部と、
前記入込部に設けられ、前記外壁側から当該入込部の壁部へ向かって流体を流し、前記壁部の表面へ当該流体を排出する流体流出手段と、
を有する外壁防汚システム。
【請求項２】
前記流体流出手段が、
前記入込部の天井部と対向して設けられ、流体が流れる流水板と、
前記流水板の前記外壁側に位置し、前記流水板上に流体を供給する供給部と、
前記流水板の前記入込部の壁側に位置し、前記供給部から供給された流体を当該入込部の壁部へ排出する排出部と、
を含んで構成された請求項１に記載の外壁防汚システム。
【請求項３】
前記流水板は、前記供給部側から前記排出部側へ行くにしたがって、鉛直方向下方側へ傾斜する水勾配がつけられている請求項２に記載の外壁防汚システム。
【請求項４】
前記供給部が前記流水板の端部と前記外壁との間に設けられ、当該外壁の外壁面を伝う流体が流入する隙間である請求項２又は３に記載の外壁防汚システム。
【請求項５】
前記流水板の端部が前記外壁の外壁面と面一又は当該外壁面よりも奥側に控えた位置に配置されている請求項４に記載の外壁防汚システム。
【請求項６】
前記流水板に前記流体の流れを規制する溝部が形成されている請求項２〜５の何れか１項に記載の外壁防汚システム。
【請求項７】
前記入込部に玄関ドアが設けられ、前記玄関ドアの上部へ流れる流体の流量を当該玄関ドアの上部以外へ流れる流体の流量よりも減少させるように前記溝部が形成されている請求項６に記載の外壁防汚システム。
【請求項８】
前記入込部の壁部の前記玄関ドアの上縁部に沿って延設され、前記流水板の排出部から流出され前記入込部の壁部の表面を伝う流体が流れ落ち、延設方向の両端側へ当該流体を案内する第１水受け部材が設けられた請求項７に記載の外壁防汚システム。
【請求項９】
前記入込部の壁部の前記玄関ドアを除く下部に延設され、前記流水板の排出部から流出され前記入込部の壁部の表面を伝う流体が流れ落ち、前記玄関ドアから離間する方向へ当該流体を案内する第２水受け部材が設けられた請求項７又は８に記載の外壁防汚システム。
【請求項１０】
前記入込部の床面に、建物の外部へ向けて流体を排出する排出溝が形成された請求項１〜８の何れか１項に記載の外壁防汚システム。  
【請求項１１】
前記流水板の供給部に導水管が配設され、水が供給可能とされた請求項２〜１０の何れか１項に記載の外壁防汚システム。
【請求項１２】
前記第２水受け部材に、当該第２水受け部材内の流体を前記玄関ドアから離間する方向へ案内する閉止状態と、第２水受け部材の底部を開放して当該流体を排出する開放状態と、を切替える切替部材が設けられた請求項９〜１１の何れか１項に記載の外壁防汚システム。
【発明の詳細な説明】
【技術分野】
【０００１】
本発明は、特に、建物の入込部における外壁防汚システムに関する。
【背景技術】
【０００２】
建物の外壁は、大気中を浮遊する塵埃や自動車の排気ガスなどにより汚れてしまうため、定期的に清掃を行う必要がある。例えば、特許文献１では、光触媒が含有された外壁塗料、又はタイル材を用い、雨水によるセルフクリーニング機能によって、外壁の表面に付着した汚れを洗い流す方法が開示されている。
【先行技術文献】
【特許文献】
【０００３】
【特許文献１】特開２００１−０５５７９９号公報
【発明の概要】
【発明が解決しようとする課題】
【０００４】
一方、いわゆる入込部においては、雨が掛からないようにするという構造上、セルフクリーニング機能は発揮されない。
【０００５】
本発明は上記事実を考慮し、入込部でもセルフクリーニング機能を発揮することができる外壁防汚システムを得ることが目的である。
【課題を解決するための手段】
【０００６】
上記目的を達成するために、請求項１に記載の発明に係る外壁防汚システムは、外壁から建物奥側へ入り込む入込部と、前記入込部に設けられ、前記外壁側から当該入込部の壁部へ向かって流体を流し、前記壁部の表面へ当該流体を排出する流体流出手段と、を有している。
【０００７】
建物は、降雨時において雨水が建物の外壁面を伝って流れることで、建物の外壁面に付着した汚れを落とすというセルフクリーニング機能を有するが、外壁から建物奥側へ入り込む入込部では、雨水が掛かり難くなるため、セルフクリーニング機能は発揮されない。
【０００８】
このため、請求項１に記載の発明に係る外壁防汚システムでは、外壁から建物奥側へ入り込む入込部に流体流出手段が設けられており、当該流体出手段によって、外壁側から入込部の壁部へ向かって流体が流れるようにしている。これにより、当該入込部において、セルフクリーニング機能を得ることができる。
【０００９】
流体流出手段として、雨水を利用しても良いし、導水管などにより積極的に水を流すようにしても良い。なお、ここでの「外壁」とは、バルコニーなどに用いられる腰壁も含める概念であり、建物の外形に現れる壁のことをいう。
【００１０】
請求項２に記載の発明に係る外壁防汚システムは、請求項１に記載の発明に係る外壁防汚システムにおいて、前記流体流出手段が、前記入込部の天井部と対向して設けられ、流体が流れる流水板と、前記流水板の前記外壁側に位置し、前記流水板上に流体を供給する供給部と、前記流水板の前記入込部の壁側に位置し、前記供給部から供給された流体を当該入込部の壁部へ排出する排出部と、を含んで構成されている。
【００１１】
請求項２に記載の発明に係る外壁防汚システムでは、流体流出手段が、入込部の天井部と対向して設けられた流水板を備えている。流水板の外壁側には供給部が設けられ、流水板上に流体を供給する。また、流水板の入込部の壁側には排出部が設けられ、供給部から供給された流体を入込部の壁部へ排出する。つまり、入込部の壁部の表面には、供給部によって供給され、排出部から排出された流体が流れることとなる。
【００１２】
請求項３に記載の発明に係る外壁防汚システムは、請求項２に記載の発明に係る外壁防汚システムにおいて、前記流水板は、前記供給部側から前記排出部側へ行くにしたがって、鉛直方向下方側へ傾斜する水勾配がつけられている。
【００１３】
請求項３に記載の発明に係る外壁防汚システムでは、流水板は、供給部側から排出部側へ行くにしたがって、鉛直方向下方側へ傾斜する水勾配がつけられているため、流水板上の流体は、流水板の傾斜に沿って入込部の奥方へ案内される。
【００１４】
請求項４に記載の外壁防汚システムは、請求項２又は３に記載の発明に係る外壁防汚システムにおいて、前記供給部が前記流水板の端部と前記外壁との間に設けられ、当該外壁の外壁面を伝う流体が流入する隙間である。
【００１５】
請求項４に記載の発明に係る外壁防汚システムでは、供給部が流水板の端部と外壁との間に設けられた隙間であり、この隙間を通じて、当該外壁の外壁面を伝う流体が流入される。このため、例えば、雨水を流体板内へ流入させることができ、ランニングコストが掛からないので経済的である。
【００１６】
また、流水板を入込部の天井部に設け、当該流水板内へ雨水を流入させ、流水板よりも下方に位置する入込部の壁部に雨水を流すようにするため、揚水するためのポンプは不要であり、揚水する水及びポンプを駆動させる駆動源を確保する必要がない。このため、水や駆動源の確保をするために建物のプランニングが規制されるということはない。
【００１７】
請求項５に記載の発明に係る外壁防汚システムは、請求項４に記載の発明に係る外壁防汚システムにおいて、前記流水板の端部が前記外壁の外壁面と面一又は当該外壁面よりも奥側に控えた位置に配置されている。
【００１８】
請求項５に記載の発明に係る外壁防汚システムでは、供給部の一部を構成する流水板の端部を、外壁の外壁面と面一又は当該外壁面よりも奥側に控えた位置に形成することで、建物の外壁面に付着したゴミと当該外壁面を伝う流体とを分離して、ゴミなどを流水板へ流さないようにすることができる。また、供給部の一部を構成する流水板の端部を建物の外壁面よりも奥側に控えた位置に形成することで、豪雨のとき、余分な雨水が供給部へ流入しないようにすることができる。
【００１９】
請求項６に記載の発明に係る外壁防汚システムは、請求項２〜５の何れか１項に記載の発明に係る外壁防汚システムにおいて、前記流水板に前記流体の流れを規制する溝部が形成されている。
【００２０】
請求項６に記載の発明に係る外壁防汚システムでは、流水板に流体の流れを規制する溝部が形成されている。ここで、「流体の流れを規制する」とは、溝部の向き、数、大きさなどにより、例えば、流体の流動方向、流量、流速などを変えるということである。このように、流体の流れを規制することによって、入込部の壁部の表面の全体に亘って、満遍なく流体を供給することができると共に、汚れが落ちにくい部分では、流体の流量及び流速を増大させるなどすることができる。
【００２１】
請求項７に記載の発明に係る外壁防汚システムは、請求項６に記載の発明に係る外壁防汚システムにおいて、前記入込部に玄関ドアが設けられ、前記玄関ドアの上部へ流れる流体の流量を当該玄関ドアの上部以外へ流れる流体の流量よりも減少させるように前記溝部が形成されている。
【００２２】
玄関ドアは人が往来するため、請求項７に記載の発明に係る外壁防汚システムでは、溝部の向き、数、大きさなどを変えて、玄関ドアの上部へ流れる流体の流量を当該玄関ドアの上部以外へ流れる流体の流量よりも減少させるようにしている。
【００２３】
請求項８に記載の発明に係る外壁防汚システムは、請求項７の何れか１項に記載の発明に係る外壁防汚システムにおいて、前記入込部の壁部の前記玄関ドアの上縁部に沿って延設され、前記流水板の排出部から流出され前記入込部の壁部の表面を伝う流体が流れ落ち、延設方向の両端側へ当該流体を案内する第１水受け部材が設けられている。
【００２４】
請求項８に記載の発明に係る外壁防汚システムでは、入込部の壁部の玄関ドアの上縁部に沿って第１水受け部材が延設されている。この第１水受け部材には、流水板の排出部から流出され当該入込部の壁部の表面を伝う流体が流れ落ちるようになっており、当該第１水受け部材へ流れ落ちた流体は、第１水受け部材の延設方向の両端側へ案内される。このため、玄関ドアには水が落下しない。
【００２５】
請求項９に記載の発明に係る外壁防汚システムは、請求項７又は８に記載の発明に係る外壁防汚システムにおいて、前記入込部の壁部の前記玄関ドアを除く下部に延設され、前記流水板の排出部から流出され前記入込部の壁部の表面を伝う流体が流れ落ち、前記玄関ドアから離間する方向へ当該流体を案内する第２水受け部材が設けられている。
【００２６】
請求項９に記載の発明に係る外壁防汚システムでは、入込部の壁部の玄関ドア以外の下部には、第２水受け部材が延設されている。この第２水受け部材には、流水板の排出部から流出され当該入込部の壁部の表面を伝う流体が流れ落ちるようになっており、当該第２水受け部材へ流れ落ちた流体は、玄関ドアから離間する方向へ案内される。つまり、入込部の玄関に水が流れないようにすることができる。
【００２７】
請求項１０に記載の発明に係る外壁防汚システムは、請求項１〜８の何れか１項に記載の発明に係る外壁防汚システムにおいて、前記入込部の床面に、建物の外部へ向けて流体を排出する排出溝が形成されている。
【００２８】
請求項１０に記載の発明に係る外壁防汚システムでは、入込部の床面に、建物の外部へ向けて流体を排出する排出溝を形成することで、床面上の流体は当該排出構を流れるため、床面の表面は乾燥しやすくなる。
【００２９】
請求項１１に記載の発明に係る外壁防汚システムは、請求項２〜１０の何れか１項に記載の発明に係る外壁防汚システムにおいて、前記流水板の供給部に導水管が配設され、水が供給可能とされている。
【００３０】
請求項１１に記載の発明に係る外壁防汚システムでは、流水板の供給部に導水管を配設し、水を供給可能とすることで、天候に関係なく、入込部の壁部の表面に積極的に水を流すことができる。ここで、例えば、導水管は水道管と接続しても良いし、雨水タンクなどと接続しても良い。
【００３１】
請求項１２に記載の発明に係る外壁防汚システムは、請求項９〜１１の何れか１項に記載の発明に係る外壁防汚システムにおいて、前記第２水受け部材に、当該第２水受け部材内の流体を前記玄関ドアから離間する方向へ案内する閉止状態と、第２水受け部材の底部を開放して当該流体を排出する開放状態と、を切替える切替部材が設けられている。
【００３２】
請求項１２に記載の発明に係る外壁防汚システムでは、第２水受け部材に切替部材を設けており、当該第２水受け部材内の流体を玄関ドアから離間する方向へ案内する閉止状態と、第２水受け部材の底部を開放して当該流体を排出する開放状態と、を切替え可能としている。これにより、玄関の床面へ水を流さないようにしたり、当該床面へ水を流したりすることができる。
【発明の効果】
【００３３】
以上説明したように、請求項１に記載の発明に係る外壁防汚システムによれば、入込部でもセルフクリーニング機能を発揮することができるという優れた効果を有する。
【００３４】
請求項２に記載の発明に係る外壁防汚システムによれば、簡単な構成でセルフクリーニング機能を得ることができるという優れた効果を有する。
【００３５】
請求項３に記載の発明に係る外壁防汚システムによれば、流体が留まることなく流水板から入込部の壁部へ向かって流出される。
【００３６】
請求項４に記載の発明に係る外壁防汚システムによれば、雨水を利用して入込部の壁部をクリーニングするためランニングコストが掛からないという優れた効果を有する。
【００３７】
請求項５に記載の発明に係る外壁防汚システムによれば、ゴミと雨水を分離すると共に、余分な雨水が供給部へ流入しないようにすることができるという優れた効果を有する。
【００３８】
請求項６に記載の発明に係る外壁防汚システムによれば、入込部の壁部の表面へ効率よく流体を供給することができるという優れた効果を有する。
【００３９】
請求項７に記載の発明に係る外壁防汚システムによれば、玄関ドアの上部とそれ以外の部分とで流体の流量を変えることができるという優れた効果を有する。
【００４０】
請求項８に記載の発明に係る外壁防汚システムによれば、玄関ドアは人が往来するため、玄関ドアを通過する人に水が掛からないようにすることができるという優れた効果を有する。
【００４１】
請求項９に記載の発明に係る外壁防汚システムによれば、玄関が水浸しにならないという優れた効果を有する。
【００４２】
請求項１０に記載の発明に係る外壁防汚システムによれば、入込部の床面をクリーニングしても、靴が濡れにくいという優れた効果を有する。
【００４３】
請求項１１に記載の発明に係る外壁防汚システムによれば、天候に左右されず、ユーザの都合に合わせて入込部の壁部をクリーニングすることができるという優れた効果を有する。
【００４４】
請求項１２に記載の発明に係る外壁防汚システムによれば、必要に応じて、玄関の床面に水を流すことができるという優れた効果を有する。
【図面の簡単な説明】
【００４５】
【図１】第１の実施形態に係る建物の玄関周りを拡大した斜視図である。
【図２】（Ａ）は図１に示すＡ−Ａ線断面図であり、（Ｂ）は図１に示すＢ−Ｂ線断面図である。
【図３】第１の実施形態に係る建物の入込部に設けられた流水板の平面図である。
【図４】図２（Ａ）の部分拡大図であり、流水板の作用を説明する説明図である。
【図５】第１の実施形態に係る建物の玄関周りの変形例を示す斜視図である。
【図６】第２の実施形態に係る建物の玄関周りを拡大した斜視図である。
【図７】第２の実施形態に係る建物の入込部に設けられた流水板の平面図である。
【図８】第３の実施形態に係る建物の玄関周りを拡大した斜視図である。
【図９】第３の実施形態に係る建物の入込部に設けられた流水板の平面図である。
【図１０】その他の実施形態（１）に係る建物の玄関周りを拡大した斜視図である。
【図１１】図１０に示すＣ−Ｃ線断面図である。
【図１２】その他の実施形態（２）に係る建物の水受け部材に設けられた切替機構を示す分解斜視図である。
【図１３】図１２に示す切替機構を示す断面図であり、（Ａ）は水が流れない状態を示し、（Ｂ）は水が流れる状態を示している。
【発明を実施するための形態】
【００４６】
以下、本発明に係る外壁防汚システムが適用された建物の一実施形態について説明する。
【００４７】
＜第１の実施形態＞
（外壁防汚システムの構成）
【００４８】
図１には、本実施形態に係る外壁防汚システムが適用された建物１０の玄関周りを拡大した斜視図が示されており、図２（Ａ）、（Ｂ）には、それぞれ図１に示すＡ−Ａ線断面図、Ｂ−Ｂ線断面図が示されている。この建物１０は一階部分１２と、一階部分１２の上に据付けられた二階部分１４と、二階部分１４の上に据付けられた屋根部分（図示省略）と、を含んで構成されている。
【００４９】
建物１０の一階部分１２の出隅部側には、一階部分１２の外壁１５の上部を残し、建物１０の居住スペース内へ入り込む入込部１６が設けられている。この入込部１６の奥には、玄関ドア１８が設けられており、玄関ドア１８が設けられた壁部２０の両側には、当該壁部２０と略直交し互いに対面する壁部２２、２４がそれぞれ設けられている。つまり、ここでの玄関２６は三面の壁部２０、２２、２４によって囲まれている。
【００５０】
入込部１６の天井部２８には、金属や樹脂などの耐水性のある材料で形成された略矩形状の流水板３０が天井面２８Ａ（図２（Ａ）参照）との間に隙間を設けた状態で対面している。また、流水板３０の前面側（建物１０の外壁面１５Ａ側）の周縁部には、リブ３０Ａが立設しており、リブ３０Ａの先端部と天井面２８Ａとの間には隙間が設けられている。この隙間が流入口（供給口）３２となって、当該流入口３２を通じて、流水板３０の内部へ雨水が流入可能とされる。
【００５１】
ここで、図２（Ｂ）に示されるように、リブ３０Ａの外面は、建物１０の外壁面１５Ａと面一、或いは当該外壁面１５Ａよりも奥側に控えた位置（リブ３０Ａの肉厚以内の寸法）、つまり、入込部１６内へ入り込んだ位置となるように、流水板３０の位置は設定されている。
【００５２】
また、図１に示されるように、流水板３０の入込部１６内の周縁部からは、流水板３０内を流れる雨水などの流体（以下、「雨水」として説明する）が流出する。このため、流水板３０の入込部１６内の周縁部は、入込部１６の壁部２０、２２、２４に近接する位置となるように流水板３０の面積は予め設定されている。
【００５３】
これによって、流水板３０の各周縁部から流出した雨水は、壁部２０、２２、２４の表面を伝って流れることとなる。ここで、各壁部２０、２２、２４に対応する流水板３０の周縁部を、以下、流出口３４、３６、３８という。なお、流水板３０については、別途詳述する。
【００５４】
一方、図１及び図２（Ａ）に示されるように、壁部２０の玄関ドア１８の上縁部側には、断面が略Ｕ字状を成す水受け部材（いわゆる樋）４０が玄関ドア１８に沿って延設されている。流水板３０の流出口３４を通じて流出した雨水（矢印参照）は、玄関ドア１８の上方で壁部２０の表面を伝って流れ、当該水受け部材４０内へ流れ落ちるようになっている。
【００５５】
水受け部材４０は玄関ドア１８のドア枠４２の幅寸法と略同一の長さとされており、水受け部材４０の底面には水勾配が付けられ、長手方向中央部が一番高くなる緩やかな傾斜面とされて、水受け部材４０内の雨水は水受け部材４０の両端部へ移動するようになっている。また、水受け部材４０の両端部は開口とされており、水受け部材４０の両端部へ移動した雨水は、玄関ドア１８のドア枠４２の外側で壁部２０の表面を伝って流れ落ちることとなる。
【００５６】
ここで、壁部２０の下部には、玄関ドア１８のドア枠４２の外側に、断面が略Ｕ字状を成す水受け部材（いわゆる樋）４４が、壁部２０に沿ってそれぞれ延設されている。このため、水受け部材４０の端部から流れ落ち、壁部２０の表面を伝って流れた雨水（矢印参照）は、当該水受け部材４４内へ流れ落ちるようになっている。この水受け部材４４には、流水板３０の流出口３４から流出し玄関ドア１８の上方以外の領域で壁部２０の表面を伝って流れた雨水（矢印参照）も流れ落ちることとなる。
【００５７】
また、図１及び図２（Ｂ）に示されるように、壁部２２、２４の下部には、水受け部材４４と繋がる水受け部材４６が、壁部２２、２４に沿ってそれぞれ延設されており、流水板３０の流出口３６、３８を通じて流出した雨水（矢印参照、なお壁部２４については図示していない）が、壁部２２、２４の表面を伝って流れ、当該水受け部材４６内へ流れ落ちるようになっている。そして、水受け部材４４内の雨水は、この水受け部材４６へ案内される。
【００５８】
水受け部材４６の先端部は、建物１０の外壁面１５Ａの略面一まで延設されており、水受け部材４６を通過した雨水は、玄関２６を経て基礎４８上へ排出される。また、水受け部材４４、４６の底面には水勾配が付けられ、玄関ドア１８側が一番高くなる緩やかな傾斜面とされて、水受け部材４４、４６内の雨水はスムーズに基礎４８上へ排出されるようになっている。
【００５９】
（流水板の構成）
ここで、流水板３０について説明する。
【００６０】
図２（Ａ）に示す流水板３０は、例えば、天井面２８Ａから垂下するブラケットに取付けられたり、或いは、図示しないスペーサを介してビスで締結されたりして、天井面２８Ａに固定される。
【００６１】
つまり、流水板３０は後付けが可能となっており、天井面２８Ａとの間に隙間を設けた状態で天井部２８に固定される。また、流水板３０は、入込部１６の奥方に位置する玄関ドア１８へ行くにしたがって、鉛直方向下方側へ傾斜する水勾配が付けられ、入込部１６の奥行きに対して１％以上となっている。
【００６２】
流水板３０の上面には、図３に示されるように、溝部５０が形成されており、流水板３０の位置によって、溝部５０の向きを変えている。一例として、流水板３０の流入口３２側には、当該流入口３２側を長辺とし、流水板３０の中央部側を短辺（短辺部Ｐ）とする台形状を成す領域Ａが設けられており、当該領域Ａでは、流水板３０の奥行き方向に沿って複数の溝部５０Ａが形成されている。
【００６３】
また、流水板３０の流出口３４側には、当該流出口３４側を長辺とし、流水板３０の中央部側を短辺（領域Ａの短辺部Ｐと共有）とする台形状を成す領域Ｂが設けられている。この領域Ｂでは、領域Ａの短辺部Ｐの溝部５０Ａと繋がり、流出口３４へ向かって放射線状に広がる溝部５０Ｂが形成されている。そして、溝部５０Ｂは、流出口３４の中央側よりも流出口３４の両端側の方が密度が高くなっている。
【００６４】
さらに、流水板３０の流出口３６、３８側では、領域Ａ、Ｂで囲まれた三角形状の領域Ｃがそれぞれ設けられている。領域Ｃでは、領域Ａの斜辺部Ｑの溝部５０Ａと繋がり、領域Ｂの端部に位置する溝部５０Ｂと平行に形成されている。そして、溝部５０Ｃは、流出口３６、３８の流入口３２側よりも流出口３４側の方が密度が高くなっている。
【００６５】
（外壁防汚システムの作用・効果）
次に、本実施形態に係る外壁防汚システムの作用・効果について説明する。
【００６６】
図１に示されるように、建物１０の入込部１６は、建物１０の外壁面１５Ａの奥方へ入り込んでいるため、一般的に雨水が掛かり難くなっている。このため、降雨時において雨水が建物１０の外壁面１５Ａを伝って流れることで、建物１０の外壁面１５Ａに付着した汚れを落とすというセルフクリーニング機能を十分に発揮することは困難である。
【００６７】
しかし、本実施形態では、入込部１６の天井部２８に流水板３０を設け、当該流水板３０を通じて、建物１０の外壁面１５Ａから雨水を取り込み、入込部１６内の壁部２０、２２、２４の表面を伝って雨水が流れるようにしている。これにより、入込部１６において、セルフクリーニング機能を発揮させることができる。
【００６８】
具体的には、玄関２６が三面の壁部２０、２２、２４で囲まれた入込部１６の天井部２８に設けられた流水板３０の前面側（建物１０の外壁面１５Ａ側）には、流入口３２が設けられており、建物１０の外壁面１５Ａを伝って流れる雨水が、当該流入口３２を通じて流水板３０内へ流入可能とされている。
【００６９】
ここで、図２（Ｂ）に示されるように、流水板３０の前面側の周縁部には、リブ３０Ａが立設しており、リブ３０Ａの外面は、建物１０の外壁面１５Ａと略面一に設けられている。このため、図４に示されるように、建物１０の外壁面１５Ａに付着したゴミと当該外壁面１５Ａを伝う雨水とを分離して、ゴミなどを流水板３０へ流さないようにすることができる。また、豪雨のとき、余分な雨水が流入口３２へ流入しないようにすることができる。
【００７０】
一方、図１に示されるように、流水板３０の入込部１６内の周縁部には、壁部２０、２２、２４に対応して、流出口３４、３６、３８がそれぞれ設けられている。これにより、流入口３２を通じて流水板３０内を流れる雨水は、流出口３４、３６、３８から流出する。
【００７１】
ここで、流水板３０の流出口３４、３６、３８は、それぞれ壁部２０、２２、２４に近接する位置となるように設定されている。これにより、流水板３０の流出口３４、３６、３８から流出した雨水は、壁部２０、２２、２４の表面を伝ってそれぞれ流れ落ち、壁部２０、２２、２４をクリーニングすることができる。
【００７２】
つまり、入込部１６の天井部２８に流水板３０を設け、入込部１６の壁部２０、２２、２４の表面に雨水を流すようにするだけなので、光触媒が含有された塗料やタイル材を外壁全体に用いる場合と比較して、安価に対応することができると共に、揚水するためのポンプは不要であり、揚水する水及びポンプを駆動させる駆動源を確保する必要がない。このため、水や駆動源の確保をするために建物のプランニングが規制されるということはない。
【００７３】
また、壁部２０の玄関ドア１８の上縁部側には水受け部材４０が設けられており、壁部２０の表面を伝って流れた雨水は、当該水受け部材４０内へ流れ落ちるようにしている。玄関ドア１８は人が往来するため、玄関ドア１８に雨水が流れないようにして、建物１０を出入りする人に雨水が掛からないようにしている。
【００７４】
水受け部材４０内へ流れ落ちた雨水は、水受け部材４０内の水勾配によって、水受け部材４０の延設方向（長手方向）の両端部へ案内される。水受け部材４０の両端部は開口となっているため、水受け部材４０の両端部へ案内された雨水は、再び壁部２０を伝って流れ落ちることとなる。
【００７５】
壁部２０の下部には、玄関ドア１８の両側に水受け部材４４がそれぞれ設けられており、壁部２０の表面を伝う雨水が当該水受け部材４４内へ流れ落ちる。また、壁部２２、２４の下部には、水受け部材４４と繋がる水受け部材４６が設けられている。
【００７６】
この水受け部材４６には、流水板３０の流出口３６を通じて壁部２２を伝う雨水、又は流水板３０の流出口３８を通じて壁部２４を伝う雨水がそれぞれ流れ落ちるようになっている。また、水受け部材４４内の水勾配によって、水受け部材４４内へ流れ落ちた雨水は水受け部材４６へ案内される。そして、水受け部材４６へ案内された雨水は、水受け部材４６内の水勾配によって、基礎４８上へ排出される。
【００７７】
このように、入込部１６の壁部２０、２２、２４に水受け部材４０、４４、４６を設け、壁部２０、２２、２４を伝う雨水を当該水受け部材４０、４４、４６で受けるようにすることで、玄関２６の床面２６Ａに、壁部２０、２２、２４を伝う雨水が流れないようにすることができる。
【００７８】
ところで、図２（Ａ）、（Ｂ）に示されるように、流水板３０の上面は、建物１０の外壁面１５Ａから入込部１６の奥方へ行くにしたがって、鉛直方向下方側へ傾斜する水勾配がつけられている。このため、流水板３０の流入口３２から流入された雨水は、流水板３０の傾斜面に沿って入込部１６内の壁部２０の表面へ案内される。
【００７９】
また、流水板３０の上面には、図３に示されるように、複数の溝部５０が形成されており、流水板３０内での位置によって、溝部５０の向きを変えている。ここでは、流水板３０の流入口３２から流入された雨水を３面へ向かって案内する必要がある。
【００８０】
このため、流入口３２側には、当該流入口３２側を長辺とし、流水板３０の中央部側を短辺（短辺部Ｐ）とする台形状を成す領域Ａを設けている。そして、領域Ａの短辺部Ｐからは流出口３４へ向かって放射線状に広がる溝部５０Ｂ（領域Ｂ）を設け、短辺部Ｐに案内された雨水を流出口３４側へ案内する。また、領域Ａの斜辺部Ｑからは、領域Ｂの端部に位置する溝部５０Ｂと平行に溝部５０Ｃ（領域Ｃ）を設けて、斜辺部Ｑに案内された雨水を流出口３６、３８側へそれぞれ案内する。
【００８１】
ここで、流水板３０の角部において、領域Ｂと領域Ｃの境界部付近では、溝部５０Ｂ、溝部Ｃの密度が他の部分よりも高くなっている。領域Ｂと領域Ｃの境界部付近は、領域Ａの短辺部Ｐや斜辺部Ｑからの距離が他の部分よりも長くなっているため、その分、溝部５０の密度を増やして他の部分との流量バランスを図っている。つまり、これによって、入込部１６内の各壁部２０、２２、２４に略均等に雨水を流出させることができる。
【００８２】
なお、玄関ドア１８の上部は、玄関ドア１８の上部以外の部分よりも雨水が流れ難くなるようにしても良い。また、入込部１６において、例えば、壁部２０の平面部と壁部２０と壁部２２の隅部とでは隅部の方が汚れが落ち難い。このため、入込部１６の隅部に相当する、壁部２０と壁部２２、及び壁部２０と壁部２４の境界部付近では、雨水が他の部分よりも多く流れるようにしても良い。さらに、建物１０の立地条件などにより、溝部５０の密度や向き等は適宜変更可能である。
【００８３】
また、ここでは、図１に示されるように、入込部１６の壁部２０、２２、２４に水受け部材４０、４４、４６を設け、壁部２０、２２、２４を伝う雨水を当該水受け部材４０、４４、４６で受けるようにして、玄関２６の床面２６Ａに、壁部２０、２２、２４を伝う雨水が流れないようにしたが、玄関２６の床面２６Ａに雨水を流すようにしても良い。
【００８４】
この場合、例えば、図５に示されるように、水受け部材４０以外の水受け部材４４、４６を取り除き、玄関２６の床面２６Ａに複数の排水溝５２を形成する。ここでは、複数の排水溝５２が形成されたタイル５４が用いられている。このタイル５４とタイル５４の間の目地部分も排水溝５６となる。つまり、玄関ドア１８の前方では、入込部１６の奥行き方向に沿って排水溝５２、５６が形成されており、壁部２０を伝う雨水が、排水溝５２、５６に沿って基礎４８上へ排出される。
【００８５】
一方、壁部２２、２４の近傍に位置する排水溝５８は、玄関ドア１８の前方側へ向かって傾斜しており、壁部２２、２４を伝う雨水は、排水溝５８から排水溝５２、５６へ合流し、排水溝５２、５６内を流れる雨水と共に基礎４８上へ排出される。この場合、玄関２６の床面２６Ａは雨水で濡れることとなるが、雨水は排水溝５２、５６、５８内を流れるため、床面２６Ａの表面は水はけが良い。つまり、当該床面２６Ａでは、雨水によるセルフクリーニング機能が発揮されると共に、排水溝５２、５６、５８が形成されていないものと比較して、乾燥し易く、靴が濡れにくい。
【００８６】
なお、排水性を高くするため、玄関２６の床面２６Ａが、玄関ドア１８から離間するにしたがって、鉛直方向下方へ向かって傾斜する水勾配をつけても良いし、排水溝５２、５８の深さを、玄関ドア１８から離間するにしたがって徐々に深くするようにして水勾配をつけても良い。
【００８７】
＜第２の実施形態＞
次に、本発明の第２の実施形態に係る外壁防汚システムについて説明する。なお、第１の実施形態と略同一の内容については説明を省略する。
【００８８】
第１実施形態では、図１に示されるように、建物１０の外壁１５に入込部１６が設けられ、玄関２６は３面の壁部２０、２２、２４によって囲まれ、流水板３０は、１面（流入口３２）のみが外部に露出する。このため、流水板３０の１面から雨水を流入させて、壁部２０、２２、２４に対向する３面から雨水を流出させるようにしている。
【００８９】
これに対して、第２実施形態では、図６に示されるように、建物１０の外壁６０と外壁６２で構成された出隅部に入込部６４が設けられ、当該入込部６４に設けられた玄関２６は、２面の壁部６６、６８によって形成され、流水板７０は、２面が外部に露出する。このため、流水板７０の２面から雨水を流入させて、壁部６６、６８に対向する２面から雨水を流出させるようにしている。
【００９０】
具体的には、建物１０の外壁６０、６２側に位置する流水板７０の周縁部には、リブ７０Ａがそれぞれ立設しており、リブ７０Ａの先端部と天井面２８Ａとの間で流入口７２、７４がそれぞれ設けられている。そして、入込部６４を構成する壁部６６、６８側には、それぞれ流出口７６、７８が形成され、流入口７２、７４を通じて流入した雨水は、流出口７６、７８を通じて、壁部６６、６８の表面にそれぞれ流出するようになっている。
【００９１】
ここで、流水板７０上の雨水をスムーズに流すため、図７に示されるように、流水板７０上の溝部８０は、入込部１６の出隅部側に位置する流水板７０の角部Ｒと入込部１６の入隅部側に位置する流水板７０の角部Ｓを結ぶ直線（溝部８０Ａ）に対して平行に形成されている。
【００９２】
また、溝部の長さが一番長い溝部８０Ａ側では溝部８０の密度が高く、溝部８０Ａから離れるほど溝部８０の密度は低くなっており、溝部８０Ａ側で溝部８０の密度を増やして他の部分との流量バランスを図っている。
【００９３】
＜第３の実施形態＞
次に、本発明の第３の実施形態に係る外壁防汚システムについて説明する。なお、第１の実施形態と略同一の内容については説明を省略する。
【００９４】
第３実施形態では、図８に示されるように、玄関８２の上方には、建物１０の外壁８４から張出して、バルコニー８６（なお庇でも良い）が設けられている。このバルコニー８６によって、入込部８８が形成されている。
【００９５】
第１実施形態では、図１に示されるように、建物１０の外壁１５に入込部１６が設けられ、玄関２６は３面の壁部２０、２２、２４によって囲まれているため、壁部２０、２２、２４に雨水を流す必要がある。しかし、第３実施形態では、入込部８８は外壁（壁部）８４から張出す（いわゆる腰壁）ことによって形成されているため、当該外壁８４に雨水を流すことができれば良い。
【００９６】
したがって、バルコニー８６を構成する前壁９２及び側壁９４、９６のうち、バルコニー８６の前壁９２側に位置する流水板９０の周縁部に、リブ９０Ａが立設し、リブ９０Ａの先端部と天井面２８Ａとの間で流入口９８が設けられている。そして、壁部８４側に、流出口１００が形成され、流入口９８を通じて流入した雨水が、流出口１００を通じて、外壁８４の表面に流出するようになっている。
【００９７】
また、バルコニー８６の側壁９４、９４側に位置する流水板９０の周縁部１０２、１０４には、天井面２８Ａとの間の隙間を埋めるべくリブ９０Ｂがそれぞれ立設している。これにより、流入口９８から流入した雨水が、流水板９０の周縁部１０２、１０４から流れ落ちないようにしている。
【００９８】
そして、ここでは、流入口９８及び流出口１００は、流水板９０のそれぞれ１面のみとなっている。このため、図９に示されるように、流水板９０上の溝部１０６は、流入口９８及び流出口１００の長手方向に対して略直交して形成されている。なお、ここでは、特に雨水の流れの向きを変える必要はないため、必ずしも溝部１０６を形成する必要はなく、流水板９０の水勾配を利用して、流出口１００から雨水を流出させるようにしても良い。
【００９９】
（その他の実施形態）
（１）第１及び第２の実施形態では、雨水を利用して壁部をクリーニングする方法について説明したが、第１実施形態で説明した構成に加え、水道水が利用できるようにしても良い。例えば、図１０及び図１１に示されるように、流水板３０の流入口３２の近傍に導水管１１０を配設しても良い。なお、図１１は、図１０に示すＣ−Ｃ線断面図が示されている。
【０１００】
この導水管１１０は、長手方向に沿って所定のピッチで小孔１１２が形成されており、当該小孔１１２から水道水が流出可能となるようにする。また、導水管１１０は、図示しない水道管と接続されており、水道管に設けられた開閉弁の開放によって、導水管１１０の小孔１１２から水道水を流出させる。
【０１０１】
このようにして、積極的に流水板３０内に水を流すようにしても良い。この場合、天候に左右されずに壁部２０、２２、２４をクリーニングすることができるため便利である。なお、水道管の開閉弁はタイマーによって制御するようにしても良い。
【０１０２】
また、これ以外にも、図示はしないが、２階以上の位置に雨水タンクを設け、当該雨水タンクに貯留された雨水を流水板３０内に流すようにしても良い。この場合、揚水ポンプは不要であるため、ランニングコストが掛からない。
【０１０３】
（２）図１及び図５に示されるように、玄関２６へ水が流れるか否かは、玄関２６の壁部２０の下部に水受け部材４４を設けるか否かによって決まってしまう。しかし。ここでは、図１２に示す水受け部材１２０自体に切替機構１２２を設け、当該切替機構１２２による切替えによって、玄関２６へ水を流さないようにする閉止状態と、玄関２６へ水を流すようにする開放状態と、を切替えできるようにする。
【０１０４】
具体的には、図１２に示されるように、水受け部材１２０が、断面が略Ｕ字状を成す水受け部１２４、１２６を備え、水受け部１２４の内側に水受け部１２６を嵌挿可能とする。当該水受け部１２６は水受け部１２４よりも短く設定されており、水受け部１２４の延設方向（長手方向）に沿って水受け部１２６が移動可能となるようにする。また、水受け部１２６の側壁の先端面からは、略逆Ｌ字状に形成されたレバー１２８が延出しており、当該レバー１２８を介して、水受け部１２６を水受け部１２４の長手方向に沿って移動させる。
【０１０５】
また、水受け部１２４の底部１２４Ａ及び水受け部１２６の底部１２６Ａには、それぞれ連通孔１２４Ｂ、１２６Ｂが同じピッチで形成されている。そして、水受け部１２４の底部１２４Ａに設けられた隣接する連通孔１２４Ｂ同士の離間距離は、水受け部１２６の連通孔１２６Ｂの大きさよりも大きくなるように設定され、水受け部１２６の底部１２６Ａに設けられた隣接する連通孔１２６Ｂ同士の離間距離は、水受け部１２４の連通孔１２４Ｂの大きさよりも大きくなるように設定されている。また、水受け部１２４の連通孔１２４Ｂ及び、水受け部１２６の連通孔１２６Ｂの内縁部には、図示はしないがそれぞれシール部材が設けられている。
【０１０６】
このため、図１３（Ａ）に示されるように、水受け部１２６の長手方向の一端面１２６Ｃが、水受け部１２４の長手方向の一端面１２４Ｃに当接した状態で、水受け部１２６の連通孔１２６Ｂは水受け部１２４の底部１２４Ａによって塞がれ、水受け部１２４の連通孔１２４Ｂは水受け部１２６の底部１２６Ａによって塞がれる。このとき、連通孔１２６Ｂのシール部材が水受け部１２４の底部１２４Ａに圧接され、連通孔１２４Ｂのシール部材が水受け部１２６の底部１２６Ａに圧接される。このため、水受け部材１２０から玄関２６には水は流れない（閉止状態）。
【０１０７】
一方、図示はしないが、水受け部１２６の長手方向の他端面が、水受け部１２４の長手方向の他端面に当接すると、図１３（Ｂ）に示されるように、水受け部１２６の連通孔１２６Ｂと水受け部１２４の連通孔１２４Ｂとが重なる。つまり、この状態では、水受け部材１２０から玄関２６には水が流れる（開放状態）。
【０１０８】
これによると、切替機構１２２による切替えによって、玄関２６の床面２６Ａへ水を流さないようにしたり、当該床面２６Ａへ水を流したりすることができる。例えば、通常は、靴が濡れる等の不具合が生じるため、玄関２６には水を流さないようにし、玄関２６の床面２６Ａの汚れが目立ってきた際には、当該床面２６Ａへ水を流すようにすることができる。
【０１０９】
なお、ここでは、玄関２６の壁部２０の下部に設けられた水受け部材４４について説明したが、壁部２２、２４の下部に設けられた水受け部材４６についても適用可能である。但し、この場合、例えば、図５に示されるように、玄関２６の床面２６Ａには、壁部２２、２４の近傍に、玄関ドア１８の前方側へ向かって傾斜する排水溝５８を設けるとさらに効果的である。
【０１１０】
また、以上の実施形態では、玄関２６に設けられた入込部１６等について説明したが、入込部１６であれば良いため、玄関２６に限るものではない。例えば、図示はしないが、インナーガレージについて適用しても良い。
【符号の説明】
【０１１１】
１０      建物
１６      入込部
１８      玄関ドア
２６      玄関
２６Ａ    床面
３０      流水板（流体流出手段）
３２      流入口（供給部、流体流出手段）
３４      流出口（排出部、流体流出手段）
３６      流出口（排出部、流体流出手段）
３８      流出口（排出部、流体流出手段）
４０      水受け部材（第１水受け部材）
４４      水受け部材（第２水受け部材）
４６      水受け部材（第２水受け部材）
５０      溝部
５２      排水溝
５６      排水溝
５８      排水溝
６４      入込部
７０      流水板
７２      流入口（供給部、流体流出手段）
７６      流出口（排出部、流体流出手段）
８２      玄関
８８      入込部
９０      流水板
９８      流入口（供給部、流体流出手段）
１００    流出口（排出部、流体流出手段）
１０６    溝部
１１０    導水管
１２０    水受け部材（第２水受け部材）
１２２    切替機構
【図１】
2011247030.tif 000003
【図２】
2011247030.tif 000004
【図３】
2011247030.tif 000005
【図４】
2011247030.tif 000006
【図５】
2011247030.tif 000007
【図６】
2011247030.tif 000008
【図７】
2011247030.tif 000009
【図８】
2011247030.tif 000010
【図９】
2011247030.tif 000011
【図１０】
2011247030.tif 000012
【図１１】
2011247030.tif 000013
【図１２】
2011247030.tif 000014
【図１３】
2011247030.tif 000015